(57)【要約】      （修正有） 【課題】画像読取装置を制御するＰＣが操作するためのメインプログラムの入っているものに限定されず、プログラムが入っていないＰＣからでも、装置を制御することを可能にする。また、サムネイル画像の表示においては、注目すべき領域の抽出では、画像の全体像を把握することはできず、画像全体での評価をすることはできないために、注目すべき領域と画像全体を同時に把握することを可能にする。【解決手段】画像読み取り手段と画像読み取り手段を操作する手段と画像読み取り手段により取得した情報を保存する手段と画像読み取り手段で取得した画像から縮小画像を作成する手段と前記縮小画像を表示させる手段を備えたことを特徴とする。また、縮小画像に注目領域を設ける。【選択図】  図１
2007221492.tif 000002
【特許請求の範囲】
【請求項１】
画像読み取り手段と画像読み取り手段を操作する手段と画像読み取り手段により取得した情報を保存する手段と画像読み取り手段で取得した画像から縮小画像を作成する手段と前記縮小画像を表示させる手段を備えたことを特徴とする画像処理システム
【請求項２】
画像読み取り手段を操作する手段と画像読み取り手段により取得した情報を保存する手段と画像読み取り手段で取得した画像から縮小画像を作成する手段と前記縮小画像を表示させる手段の少なくとも１つはネットワークを介して行うことを特徴とする請求項１に記載の画像処理システム
【請求項３】
請求項２に記載のネットワークを介する際に、少なくとも1つ以上はサーバクライアント方式を用いることを特徴とする画像処理システム
【請求項４】
ネットワークは、少なくとも1つ以上はＷｅｂである請求項２または請求項３の画像処理システム
【請求項５】
画像読み取り手段で取得した画像から前記縮小画像を作成する手段は、サムネイル画像を作成する請求項１または請求項２または請求項３または請求項４に記載の画像処理システム
【請求項６】
画像読み取り手段で取得した画像もしくは画像読み取り手段で取得した画像から作成した縮小画像に少なくとも１つ以上の注目領域を設定する請求項１または請求項２または請求項３または請求項４に記載の画像処理システム
【請求項７】
画像読み取り手段で取得した画像から作成した縮小画像の作成にＤＷＴ符号化を用いる請求項１から６に記載の画像処理システム
【請求項８】
画像読み取り手段で取得した画像の注目領域もしくは画像読み取り手段で取得した画像から作成した縮小画像の注目領域とそれ以外の領域の少なくとも１つ以上で画像のパラメータに異なるものを使用する請求項６に記載の画像処理システム
【請求項９】
画像読み取り手段で取得した画像の注目領域以外もしくは画像読み取り手段で取得した画像から作成した縮小画像の注目領域以外の少なくとも１つ以上を縮小表示する請求項６または請求項７または請求項８に記載の画像処理システム
【請求項１０】
画像読み取り手段で取得した画像もしくは画像読み取り手段で取得した画像から作成した縮小画像の少なくとも１つの表示が非線形表示を行っている請求項１から９に記載の画像処理システム
【請求項１１】
画像読み取り手段で取得した画像もしくは画像読み取り手段で取得した画像から作成した縮小画像の注目領域を優先して表示させる請求項６に記載の画像処理システム
【請求項１２】
画像読み取り手段を操作する手段と画像読み取り手段により取得した情報を保存する手段と画像読み取り手段で取得した画像から縮小画像を作成する手段と前記縮小画像を表示させる手段の少なくとも１つの手段が携帯端末であることを特徴とする請求項１から１１に記載の画像処理システム
【請求項１３】
画像読取手段は、少なくともスキャナーもしくはコピー機もしくはドキュメントスキャナーの少なくともひとつを備えたことを特徴とする請求項１から１２に記載の画像処理システム
【請求項１４】
ネットワークを介する際に、インタフェースとしてＷｅｂブラウザを利用する請求項２から４に記載の画像処理システム
【発明の詳細な説明】
【技術分野】
【０００１】
本発明は、画像読み取り手段、画像データ表示手段を備えた画像処理システムの技術に関する
【背景技術】
【０００２】
スキャナーに代表される画像読み取り手段を持つ装置において、装置の操作方法は操作用のＰＣに直接接続し操作させるか、またはネットワーク上に装置を置きネットワークを介して複数のＰＣで操作させる方法を用いている。ネットワークを介した操作方法においては、装置に付随するディスプレイに表示される装置の操作画面と同等の操作画面をネットワーク上のＰＣ側に表示させ、装置側の操作をＰＣ側のみでも、操作が可能になっている。
【０００３】
そのため、従来では例えばユーザがＰＣ上で原稿読み取り処理を起動したあと、装置に赴き原稿を設定し、ＰＣ設置場所に再び戻って、ＰＣを操作させて読み取り処理を実行し、最後に再びユーザが原稿をとりに行くなどの２往復をしなければならなかったが、ＰＣからのみで処理することが可能となった。また、装置の操作画面と同じユーザインタフェースをもつプログラムでＰＣ側から操作させるため、装置のユーザインタフェースおよびＰＣ画面上でのユーザインタフェースを個別に理解する必要がなく、操作性の向上が行われている。
【特許文献１】特開２００３−２８９４１９号公報
【０００４】
また、読み取った情報を整理する再にインデックスとして全体の画像を縮小させ、サムネイル画像を作成して表示させ、画像の検索などの効率化をはかっているが、サムネイル画像を作成する際に、注目すべき領域を、自動的に画像として抽出し、サムネイル画像を作成する方法がある。
【特許文献２】特開２００２−２７８９９４号公報
【発明の開示】
【発明が解決しようとする課題】
【０００５】
ところが、装置のコストダウンや操作の簡素化により、装置の操作は表示画面が必ずしもついておらず、装置の操作ユーザインタフェースをＰＣ側に表示させること自体に意味がなくかえって混乱を招く。また装置を制御するＰＣが操作するためのメインプログラムの入っているものに限定されているので、それ以外のＰＣからでは、装置を制御することは出来ないという問題点があった。また、ネットワークを通じて外出先から装置を操作する場合には、外出先ＰＣと専用のプログラムが必要であった。
【０００６】
サムネイル画像の表示においては、注目すべき領域の抽出では、画像の全体像を把握することはできず、画像全体での評価をすることはできないという問題点があった。本発明は、上述したような従来技術の有する問題点の少なくとも１つを解消するために、画像読み取り手段および画像データ表示手段を備えた画像処理システムを提供するものである。
【課題を解決するための手段】
【０００７】
上記の目的を達するために、本発明に関わる画像処理システムは、画像読み取り手段と画像読み取り手段を操作する手段と画像読み取り手段により取得した情報を保存する手段と画像読み取り手段で取得した画像から縮小画像を作成する手段と前記縮小画像を表示させる手段を備えたことを特徴とする。
【０００８】
また、上記の目的を達するために、本発明に関わる画像処理システムは画像読み取り手段を操作する手段と画像読み取り手段により取得した情報を保存する手段と画像読み取り手段で取得した画像から縮小画像を作成する手段と前記縮小画像を表示させる手段の少なくとも１つ以上はネットワークを介して行うことを特徴とする。また、本発明に関わる画像処理システムは、ネットワークを介する際に、少なくとも1つ以上はサーバクライアント方式を用いることを特徴とする。また、本発明に関わる画像処理システムで利用するネットワークは、少なくとも1つ以上はＷｅｂであることを特徴とする。また、本発明に関わる画像処理システムは、画像読み取り手段で取得した画像から前記縮小画像を作成する手段は、サムネイル画像を作成することを特徴とする。
【０００９】
また、本発明に関わる画像処理システムは、画像読み取り手段で取得した画像もしくは画像読み取り手段で取得した画像から作成した縮小画像に少なくとも１つ以上の注目領域を設定することを特徴とする。
【００１０】
また、本発明に関わる画像処理システムは、画像読み取り手段で取得した画像から作成した縮小画像の作成にＤＷＴ符号化を用いることを特徴とする。
【００１１】
また、本発明に関わる画像処理システムは、画像読み取り手段で取得した画像の注目領域もしくは画像読み取り手段で取得した画像から作成した縮小画像の注目領域とそれ以外の領域の少なくとも１つ以上で画像のパラメータに異なるものを使用することを特徴とする。
【００１２】
また、本発明に関わる画像処理システムは、画像読み取り手段で取得した画像の注目領域以外もしくは画像読み取り手段で取得した画像から作成した縮小画像の注目領域以外の少なくとも１つ以上を縮小表示することを特徴とする。
【００１３】
また、本発明に関わる画像処理システムは、画像読み取り手段で取得した画像もしくは画像読み取り手段で取得した画像から作成した縮小画像の少なくとも１つの表示が非線形表示を行っていることを特徴とする。
【００１４】
また、本発明に関わる画像処理システムは、画像読み取り手段で取得した画像もしくは画像読み取り手段で取得した画像から作成した縮小画像の注目領域を優先して表示させることを特徴とする。
【００１５】
また、本発明に関わる画像処理システムは、画像読み取り手段を操作する手段と画像読み取り手段により取得した情報を保存する手段と画像読み取り手段で取得した画像から縮小画像を作成する手段と前記縮小画像を表示させる手段の少なくとも１つの手段が携帯端末であることを特徴とする。
【００１６】
また、本発明に関わる画像処理システムは、画像読取手段は、少なくともスキャナーもしくはコピー機もしくはドキュメントスキャナーの少なくともひとつを備えたことを特徴とすることを特徴とする。
【００１７】
また、本発明に関わる画像処理システムは、前記ネットワークを介する際に、インタフェースとしてＷｅｂブラウザを利用することを特徴とする。
【発明の効果】
【００１８】
本発明によれば、装置操作用のプログラムをインストールすることなく、装置の操作をネットワークやＷｅｂ上に存在する複数のＰＣ端末や携帯端末から容易に操作することができるため、操作端末が限定されず利便性が向上する。また、画像のサムネイル表示において注目領域と全体像の把握が同時に行えるので、画像の検索の作業効率や精度が向上する。
【発明を実施するための最良の形態】
【００１９】
以下に、本発明の実施の形態を示す。
【実施例１】
【００２０】
図１は、本発明の実施の形態に関わるシステムの全体構成を示す図である。図１において３１は画像読取装置、３２はサーバであり、３３はサーバ３２につながれているモニタ、３４はクライアント、３５はクライアント機能をもつクライアント装置である。画像読取装置３１は、例えば、スキャナー、ドキュメントスキャナー、デジタルカメラ、スキャナー機能付の複合機等である。クライアント装置３４は、例えばデスクトップ型ＰＣ、ラップトップ型ＰＣ、ノート型ＰＣ、小型ＰＣ、携帯電話、ＰＨＳ、ＰＤＡ等である。画像読取装置３１、サーバ３２、クライアント装置３５は、通信インタフェースを持ち、外部との通信が可能である。サーバ３２、クライアント装置３５はネットワークを介して通信を行うことができる。クライアント装置３５とサーバ３２の通信には、例えば通信プロトコルはｈｔｔｐ、ｆｔｐ、ｔｅｌｎｅｔ、ｎｔｐ、ｎｆｓ等を用いる。また、ソケット通信でも可能である。
【００２１】
図２は、本発明の実施の形態に関わるサーバ３２の内部の構成図である。３６はサーバプログラム、３７はサーバ追加機能プログラム、３８は画像読取装置操作プログラム、４０はデータ保存領域である。サーバプログラム３６、サーバ追加機能プログラム３７は、Ｃ言語、Ｃ＋＋などの言語によって構成することができる。サーバプログラム３６は、デーモンプログラム、サービスプログラム等で構成される。画像読取装置操作プログラム３８は画像読取装置３１に対して通信インタフェースを通じて操作を行う。画像読取装置操作プログラム３８は、例えばＣ＋＋のプログラミング言語で記述された画像読取装置３１デバイスドライバ等である。
【００２２】
サーバ追加機能プログラム３７は、例えばクライアントに表示させる画面表示などの制御や画像読取装置３１の操作設定パラメタの保存や指定先などの制御、画像読取装置操作プログラム３８の読込や実行など制御、画像読取装置１で取得したデータの保存方法の指定や保存先の指定などの制御、前記画像読取装置１で取得したデータを保存する際のデータ処理方法や保存先など制御、画像処理制御などの処理を行うようになっている。
【００２３】
サーバ追加機能プログラム３７は、例えばクライアントに表示させる画面表示などの制御や画像読取装置３１の操作設定パラメタの保存や指定先などの制御、画像読取装置操作プログラム３８の読込や実行など制御、画像読取装置３１で取得したデータの保存方法の指定や保存先の指定などの制御、前記取得したデータを保存する際のデータ処理方法や保存先など制御、画像処理制御などの処理を行うようになっている。
【００２４】
画像読取装置３１を利用する際のシステムの動作について以下に示す。
【００２５】
ユーザは、クライアント３４を起動することによって、サーバプログラム３６と通信し、サーバ追加機能プログラム３７が利用できるようになる。サーバプログラム３６およびサーバ追加機能プログラム３７がユーザに画像読取装置３１を操作するための操作ユーザインタフェースをクライアント装置３５に対して提示させる。ユーザは、クライアント装置３５に提示されたユーザインタフェースに対して、画像読取装置３１の操作指定、画像読取装置３１で取得したデータの保存方法の指定や保存先の指定などの制御、前記画像読取装置３１で取得したデータを保存する際のデータ処理方法や保存先などの指定をクライアント３４を通じてサーバプログラム３６およびサーバ追加機能プログラム３７に行う。
【００２６】
前記サーバプログラム３６およびサーバ追加機能プログラム３７への指定により、画像読取装置操作プログラム３８は実行され、指定された方法により画像読取装置３１の読み取り操作が行われる。取得したデータは、前記サーバプログラム３６およびサーバ追加機能プログラム３７に指定されたデータの保存方法の指定や保存先の指定などの制御、前記取得したデータを保存する際のデータ処理方法や保存先などに従い処理される。
【００２７】
画像読取装置３１で読み取り対象の例えば書類、写真などのコンテンツは画像読取装置３１が読取を行う前までにセットしていればよい。例えば、画像読取装置３１に、読み取るためのコンテンツがセットされている場合に自動で読み込む機能が搭載されている場合には、クライアント３４を起動してサーバプログラム３６およびサーバ追加機能プログラム３７への指定を行い、画像読取装置操作プログラム８が実行された後に、画像読取装置３１に、読み取り対象のコンテンツをセットしてもよく、予め画像読取装置操作プログラム３８が実行される前に、前記読み取り対象をセットする必要はない。
【００２８】
サーバプログラム３６およびサーバ追加機能プログラム３７によって画像読取装置１から取得したデータは、生データとして保存するか、またはサーバ追加機能プログラム３７によって、例えばＪＰＥＧ、ＧＩＦ、ＴＩＦＦ、ＢＭＰ、ＰＤＦなどの形式に変換されて保存するかの少なくとも１つの方法で指定場所に保存される。
【００２９】
前記データを保存する前に、取得したデータに対して下記に述べられるような注目領域を設定して、前記取得したデータと注目領域のデータを保存しても良い。
【００３０】
画像読取装置３１によって、取得したデータは、例えば保存指定先がデータ保存領域４０に設定され、データ保存領域４０に保存されることとなる。本例は一例であり、保存先はサーバ３２上である必要はなく、クライアント装置３５やそれ以外のサーバ３２と通信できる記録装置であっても良い。
【００３１】
画像読取装置３１によって、取得し保存されたデータの表示方法について以下に示す。
【００３２】
サーバ追加機能プログラム３７は、画像処理制御の機能をもっている。ユーザがクライアント３４を起動し、サーバ追加機能プログラム３７を実行して、画像表示用のユーザインタフェースをクライアント装置３５に表示させる。画像表示用のユーザインタフェースには、サーバ追加機能プログラム３７により、画像処理制御の機能によってサムネイル画像を作成させ、表示させる。
【００３３】
本発明に関するクライアント４およびクライアント装置、５画像読取装置１、サーバ２は、複数あってもよい。
【実施例２】
【００３４】
図３は、本発明の実施の形態に関わるシステムの全体構成を示す図である。図３において１は画像読取装置、２はＷｅｂサーバであり、３はＷｅｂサーバ２につながれているモニタ、４はＷｅｂクライアント、５はＷｅｂクライアント機能をもつＷｅｂクライアント装置である。画像読取装置１は、例えば、スキャナー、ドキュメントスキャナー、デジタルカメラ、スキャナー機能付の複合機等である。Ｗｅｂクライアント装置４は、例えばデスクトップ型ＰＣ、ラップトップ型ＰＣ、ノート型ＰＣ、小型ＰＣ、携帯電話、ＰＨＳ、ＰＤＡ等である。画像読取装置１、Ｗｅｂサーバ２、Ｗｅｂクライアント装置５は、通信インタフェースを持ち、外部との通信が可能である。Ｗｅｂサーバ２、Ｗｅｂクライアント装置５はＷｅｂを介して通信を行うことができる。Ｗｅｂクライアント４は、例えばＷｅｂブラウザ、リッチクライアントなどである。
【００３５】
図４は、本発明の実施の形態に関わるＷｅｂサーバ２の内部の構成図である。６はＷｅｂサーバプログラム、７はＷｅｂサーバ追加機能プログラム、８は画像読取装置操作プログラム、１０はデータ保存領域である。Ｗｅｂサーバプログラム６は、例えばＡｐａｃｈｅ、Ｗ３Ｃ、ＮＣＳＡ  ＨＴＴＰｄ、Ｎｅｔｓｃａｐｅ  Ｅｎｔｅｒｐｒｉｓｅ  Ｓｅｒｖｅｒ等であり、Ｗｅｂサーバ追加機能プログラム７は、ＰＨＰやＪＡＶＡ（登録商標）などの言語によって構成することができる。画像読取装置操作プログラム８は画像読取装置１に対して通信インタフェースを通じて操作を行う。画像読取装置操作プログラム８は、例えばＣ＋＋のプログラミング言語で記述された画像読取装置１デバイスドライバ等である。
【００３６】
Ｗｅｂサーバ追加機能プログラム７は、例えばクライアントに表示させる画面表示などの制御や画像読取装置１の操作設定パラメタの保存や指定先などの制御、画像読取装置操作プログラム８の読込や実行など制御、画像読取装置１で読み取ったデータの保存方法の指定や保存先の指定などの制御、前記画像読取装置３１で取得したデータを保存する際のデータ処理方法や保存先など制御、画像処理制御などの処理を行うようになっている。
【００３７】
画像読取装置１を利用する際のシステムの動作について以下に示す。
【００３８】
ユーザは、Ｗｅｂクライアント４を起動することによって、Ｗｅｂサーバプログラム６と通信し、Ｗｅｂサーバ追加機能プログラム７が利用できるようになる。Ｗｅｂサーバプログラム６およびＷｅｂサーバ追加機能プログラム７がユーザに画像読取装置１を操作するための操作ユーザインタフェースをＷｅｂクライアント装置５に対して提示させる。ユーザは、Ｗｅｂクライアント装置５に提示されたユーザインタフェースに対して、画像読取装置１の操作指定、画像読取装置１で取得したデータの保存方法の指定や保存先の指定などの制御、前記所得したデータを保存する際のデータ処理方法や保存先などの指定をＷｅｂクライアント４を通じてＷｅｂサーバプログラム６およびＷｅｂサーバ追加機能プログラム７に行う。
【００３９】
前記Ｗｅｂサーバプログラム６およびＷｅｂサーバ追加機能プログラム７への指定により、画像読取装置操作プログラム８は実行され、指定された方法により画像読取装置１の読み取り操作が行われる。取得したデータは、前記Ｗｅｂサーバプログラム６およびＷｅｂサーバ追加機能プログラム７に指定されたデータの保存方法の指定や保存先の指定などの制御、前記取得したデータを保存する際のデータ処理方法や保存先などに従い処理される。
【００４０】
画像読取装置１で読み取り対象の例えば書類、写真などのコンテンツは画像読取装置１が読取を行う前までにセットしていればよい。例えば、画像読取装置１に、読み取るためのコンテンツがセットされている場合に自動で読み込む機能が搭載されている場合には、Ｗｅｂクライアント４を起動してＷｅｂサーバプログラム６およびＷｅｂサーバ追加機能プログラム７への指定を行い、画像読取装置操作プログラム８が実行された後に、画像読取装置１に、読み取り対象のコンテンツをセットしてもよく、予め画像読取装置操作プログラム８が実行される前に、前記読み取り対象をセットする必要はない。
【００４１】
Ｗｅｂサーバプログラム６およびＷｅｂサーバ追加機能プログラム７によって画像読取装置１から取得したデータは、生データとして保存するか、またはＷｅｂサーバ追加機能プログラム７によって、例えばＪＰＥＧ、ＧＩＦ、ＴＩＦＦ、ＢＭＰ、ＰＤＦなどの形式に変換されて保存するかの少なくとも１つの方法で指定場所に保存される。
【００４２】
前記データを保存する前に、取得したデータに対して下記に述べられるような注目領域を設定して、前記取得したデータと注目領域のデータを保存しても良い。
【００４３】
画像読取装置１によって、取得したデータは、例えば保存指定先がデータ保存領域１０に設定され、データ保存領域１０に保存されることとなる。本例は１例であり、保存先はＷｅｂサーバ２上である必要はなく、Ｗｅｂクライアント装置５やそれ以外のＷｅｂサーバ２と通信できる記録装置であっても良い。
【００４４】
画像読取装置１によって、取得し、保存されたデータの表示方法について以下に示す。
【００４５】
Ｗｅｂサーバ追加機能プログラム７は、画像処理制御の機能をもっている。ユーザがＷｅｂクライアント４を起動し、Ｗｅｂサーバ追加機能プログラム７を実行して、画像表示用のユーザインタフェースをＷｅｂクライアント装置５に表示させる。画像表示用のユーザインタフェースには、Ｗｅｂサーバ追加機能プログラム７により、画像処理制御の機能によってサムネイル画像を作成させ、表示させる。
【００４６】
図３は、サムネイル画像の一例である。画像読取装置１によって、取得し保存されたデータがＷｅｂサーバ追加機能プログラム７によってＷｅｂクライアント装置５に、縮小表示され、一覧表示されている。
【００４７】
本発明に関わるＷｅｂクライアント４およびＷｅｂクライアント装置５画像読取装置１、Ｗｅｂサーバ２は、複数あってもよい。
【実施例３】
【００４８】
サムネイル画像表示についての別の形態について説明する。図５は、本発明の実施の形態に関わるサムネイル画像表示の一例を示す図である。１１は画像読取装置１によって、取得し保存されたデータのサムネイル画像である。図６は、本発明の実施の形態に関わるサムネイル画像に対して注目領域を設定した一例を示す図である。１２は、画像読取装置１によって、取得し保存されたデータのサムネイル画像である。１３は画像読取装置１によって、取得し保存されたデータに対して設定された注目領域である
【００４９】
画像読取装置１によって、取得し保存されたデータに対して、Ｗｅｂサーバ追加機能プログラム７を実行して表示された画像表示用ユーザインタフェースを用いて、前記画像読取装置１によって、取得し保存されたデータの画像またはサムネイル画像に対して、注目領域１３を設定する。前記注目領域は、取得し保存されたデータの画像またはサムネイル画像に対応付けられて保存される。または、上記に述べたように画像読取装置１によって、取得された際に注目領域を指定して保存しておいても良い。Ｗｅｂクライアント装置５にサムネイル画像を表示させる際に、保存した注目領域の部分に印をつけるなどして、Ｗｅｂクライアント装置５表示させる。
【実施例４】
【００５０】
サムネイル画像表示についての別の形態について説明する。
【００５１】
図７は、本発明の実施の形態に関わるサムネイル画像表示の一例を示す図である。１４はサムネイル画像を示し、１５は注目領域である。実施例３に示したように、注目領域１５の設定を利用し、注目領域と注目領域以外の画像の圧縮率、符号化率などの画像パラメータを異なるものとさせ、注目領域が目視上、強調されるようにＷｅｂクライアント装置５に表示する。図７では、サムネイル画像１４に注目領域を設定した場合は注目領域１５を拡大させ、サムネイル画像１４作成前に、画像読取装置１により取得されたまたは保存されたデータに対して注目領域１５が設定された場合には、注目領域１５を拡大または注目領域以外を縮小させてＷｅｂクライアント装置５に表示している。
【実施例５】
【００５２】
図８は、本発明の実施の形態に関わるサムネイル画像のうちの１つを取り上げた図である。
１６はサムネイル画像であり、１７は注目領域である。図８（１）は、注目領域を設定した時のサムネイル画像の表示例であり、図８（２）は、注目領域を設定し、前記注目領域以外の縮小表示の際には、注目領域以外は注目領域から離れるほど縮小率を高くする等の非線形表示をＷｅｂクライアント装置５に表示した例である。サムネイル画像の作成の際には、ＤＣＴ変換やＤＷＴ変換などの変換手法を用いて符号化した画像を表示してもよい。サムネイル画像をＪＰＥＧ２０００など予めＲＯＩなど領域指定が画像フォーマットして用意されている画像形式を利用して、表示してもよく、データトラフィックによりＷｅｂクライアント装置５に表示するのに時間を要する場合には、ＪＰＥＧ２０００のプログレッシブ機能を用いて注目領域を優先的に伝送させ、表示させてもよい。また本手法は、ＪＰＥＧ２０００に限るのではなく、画像に領域指定できるものや伝送または表示に優先度を設けることができる手法を取り入れてもよい。
【００５３】
実施例のいずれの場合も、サムネイル作成および注目領域指定は、Ｗｅｂサーバ追加機能プログラム７で行ってもよいし、別のプログラム行ってもよい。
【実施例６】
【００５４】
実施例２において、システムの全体構成は同じで、Ｗｅｂサーバ２の内部構造が異なる別の実施例を示す。システムの全体構成は同じなので略す。図９は本発明の実施の形態に関わるＷｅｂサーバ２の内部構造図である。９はＷｅｂクライアントである。Ｗｅｂサーバ２の内部にＷｅｂクライアント９が組み込まれ、Ｗｅｂサーバ２のみで画像読取装置１を操作し、データを読み取ることができ、図３のモニタ３を使って画像の表示などを行うことができる。
【産業上の利用可能性】
【００５５】
本発明は、ＯＡ機器操作システム、書類管理システム、画像データベースへの応用が可能である。
【図面の簡単な説明】
【００５６】
【図１】本発明の実施の形態に関わるシステムの全体構成を示す図
【００５７】
【図２】本発明の実施の形態に関わるサーバ３２の内部の構成図
【００５８】
【図３】本発明の実施の形態に関わるシステムの全体構成を示す図
【００５９】
【図４】本発明の実施の形態に関わるＷｅｂサーバ２の内部の構成図
【００６０】
【図５】本発明の実施の形態に関わるサムネイル画像表示の一例を示す図
【００６１】
【図６】本発明の実施の形態に関わるサムネイル画像に対して注目領域を設定した一例を示す図
【００６２】
【図７】本発明の実施の形態に関わるサムネイル画像表示の一例を示す図
【００６３】
【図８】本発明の実施の形態に関わるサムネイル画像のうちの１つを取り上げた図
【００６４】
【図９】本発明の本発明の実施の形態に関わるＷｅｂサーバ２の内部構造図
【符号の説明】
【００６５】
１  画像読取装置
２  Ｗｅｂサーバ
３  モニタ
４  Ｗｅｂクライアント
５  Ｗｅｂクライアント装置
６  Ｗｅｂサーバプログラム
７  Ｗｅｂサーバ追加機能プログラム
８  画像読取装置操作プログラム
９  Ｗｅｂクライアント
１０  データ保存領域
１１  サムネイル画像
１２  サムネイル画像
１３  注目領域
１４  サムネイル画像  
１５  注目領域
１６  サムネイル画像
１７  注目領域
３１  画像読取装置
３２  サーバ
３３  モニタ
３４  クライアント
３５  クライアント装置
３６  サーバプログラム
３７  サーバ追加機能プログラム
３８  画像読取装置操作プログラム
４０  データ保存領域
【図１】
2007221492.tif 000003
【図２】
2007221492.tif 000004
【図３】
2007221492.tif 000005
【図４】
2007221492.tif 000006
【図５】
2007221492.tif 000007
【図６】
2007221492.tif 000008
【図７】
2007221492.tif 000009
【図８】
2007221492.tif 000010
【図９】
2007221492.tif 000011